(57)【要約】【課題】  暗部におけるピント確認を主たる目的とするLive Viewモードにおける煩わしいカメラ操作を極力軽減し、撮影者が軽快に撮影を行う。【解決手段】  撮像素子１４の一部領域の信号を逐次拡大表示することによって実現されるLive Viewモードを有する撮像装置において、まず撮像素子１４全体の画像信号から高輝度被写体位置を検出し、ここで検出された位置をLive Viewモードにおける部分切り出しの初期設定位置とする。【選択図】  図１
2006203665.tif 000002
【特許請求の範囲】
【請求項１】
被写体の光学像を電気信号に変換する撮像素子と、
前記撮像素子内の第１の撮像領域の信号を読み出す第１の撮像モード、及び前記撮像素子内の前記第１の撮像領域よりも小さい第２の撮像領域の信号を切り出して読み出し、逐次拡大表示する第２の撮像モードとを選択自在な撮像手段と、
前記第１の撮像モードによって得られた画像から高輝度被写体位置を検出する高輝度被写体位置検出手段と、
前記第２の撮像モードにおける切り出し位置を設定する切り出し位置設定手段と
を備え、
前記切り出し位置設定手段は、前記高輝度被写体位置検出手段の検出結果に基づき、切り出し位置を設定することを特徴とする撮像装置。
【請求項２】
前記高輝度被写体位置検出手段は、前記撮像素子内の前記第１の撮像領域の画素データのうち、最も信号レベルの高い画素の位置を検出することを特徴とする請求項１に記載の撮像装置。
【請求項３】
前記高輝度被写体位置検出手段は、切り出し可能な各領域のうち、平均信号レベルが最も高い領域を検出することを特徴とする請求項１に記載の撮像装置。
【請求項４】
前記高輝度被写体位置検出手段は、画像全体の水平及び垂直の射影データを算出し、それぞれの最大値が存在する位置を検出することを特徴とする請求項１に記載の撮像装置。
【請求項５】
被写体の光学像を電気信号に変換する撮像素子と、
前記撮像素子内の所定の撮像領域の信号を読み出し、得られた画像の一部領域を切り出して逐次拡大表示することが可能な撮像手段と、
前記撮像手段によって得られた前記撮像素子内の前記所定の撮像領域の画像から高輝度被写体位置を検出する高輝度被写体位置検出手段と、
前記撮像手段により画像の一部領域を切り出す位置を設定する切り出し位置設定手段と
を備え、
前記切り出し位置設定手段は、前記高輝度被写体位置検出手段の検出結果に基づき、切り出し位置を設定することを特徴とする撮像装置。
【請求項６】
前記高輝度被写体位置検出手段は、前記撮像素子内の前記所定の撮像領域画素データのうち、最も信号レベルの高い画素の位置を検出することを特徴とする請求項５に記載の撮像装置。
【請求項７】
前記高輝度被写体位置検出手段は、切り出し可能な各領域のうち、平均信号レベルが最も高い領域を検出することを特徴とする請求項５に記載の撮像装置。
【請求項８】
前記高輝度被写体位置検出手段は、画像全体の水平及び垂直の射影データを算出し、それぞれの最大値が存在する位置を検出することを特徴とする請求項５に記載の撮像装置。
【請求項９】
撮像素子により、被写体の光学像を電気信号に変換し、記録媒体に記録するに際して、
前記撮像素子内の第１の撮像領域の信号を読み出す第１の撮像モード、及び前記撮像素子内の前記第１の撮像領域よりも小さい第２の撮像領域の信号を切り出して読み出し、逐次拡大表示する第２の撮像モードが選択自在とされており、
前記第１の撮像モードによって得られた画像から高輝度被写体位置を検出するステップと、
前記高輝度被写体位置の検出結果に基づき、前記第２の撮像モードにおける切り出し位置を設定するステップと
を含むことを特徴とする撮像方法。
【請求項１０】
前記撮像素子の全画素データのうち、最も信号レベルの高い画素の位置を検出することを特徴とする請求項９に記載の撮像方法。
【請求項１１】
切り出し可能な各領域のうち、平均信号レベルが最も高い領域を検出することを特徴とする請求項９に記載の撮像方法。
【請求項１２】
画像全体の水平及び垂直の射影データを算出し、それぞれの最大値が存在する位置を検出することを特徴とする請求項９に記載の撮像方法。
【請求項１３】
撮像素子により、被写体の光学像を電気信号に変換し、記録媒体に記録するに際して、
前記撮像素子内の所定の撮像領域の信号を読み出し、得られた画像の一部領域を切り出して逐次拡大表示することが可能とされており、
得られた前記撮像素子内の前記所定の撮像領域の画像から高輝度被写体位置を検出するステップと、
前記高輝度被写体位置の検出結果に基づき、前記画像の一部領域の切り出し位置を設定するステップと
を含むことを特徴とする撮像方法。
【請求項１４】
前記撮像素子の全画素データのうち、最も信号レベルの高い画素の位置を検出することを特徴とする請求項１３に記載の撮像方法。
【請求項１５】
切り出し可能な各領域のうち、平均信号レベルが最も高い領域を検出することを特徴とする請求項１３に記載の撮像方法。
【請求項１６】
画像全体の水平及び垂直の射影データを算出し、それぞれの最大値が存在する位置を検出することを特徴とする請求項１３に記載の撮像方法。
【請求項１７】
コンピュータに請求項９〜１２のいずれか１項に記載の撮像方法の各ステップを実現させるためのプログラムを記録したコンピュータ読み取り可能な記録媒体。
【請求項１８】
コンピュータに請求項９〜１２のいずれか１項に記載の撮像方法の各ステップを実現させるためのプログラム。
【請求項１９】
コンピュータに請求項１３〜１６のいずれか１項に記載の撮像方法の各ステップを実現させるためのプログラムを記録したコンピュータ読み取り可能な記録媒体。
【請求項２０】
コンピュータに請求項１３〜１６のいずれか１項に記載の撮像方法の各ステップを実現させるためのプログラム。
【発明の詳細な説明】
【技術分野】
【０００１】
本発明は、例えば、静止画像や動画像を撮像・記録・再生する撮像装置及び方法、並びに記録媒体及びプログラムに関する。
【背景技術】
【０００２】
従来、この種の撮像装置として、固体メモリ素子を有するメモリカードを記録媒体とし、ＣＣＤ、ＣＭＯＳ等の固体撮像素子で撮像した静止画像や動画像を記録・再生する電子カメラ等の撮像装置が既に市販されている。
【０００３】
このような電子カメラには、静止画像や動画像の記録が可能であるともに、固体撮像素子を用いて撮像した画像データをＬＣＤ等の画像表示部に逐次表示する電子ファインダ機能を有するものがある。
【０００４】
また、画像表示部への画像表示においては、画像データの一部を拡大表示する機能を有するものがある。
【０００５】
【特許文献１】特開平１１−３５５６２８号公報
【発明の開示】
【発明が解決しようとする課題】
【０００６】
上述したような従来の技術を用いて、連続的に撮像される画像データの一部を切り出して逐次拡大表示することにより、ＬＣＤでピント確認を行うことができる、いわゆるライブ・ビュー（Live View）モードを実現することができる。また特に固体撮像素子としてＣＭＯＳを用いる撮像装置においては、撮像素子の一部領域を選択的に読み出すことが可能であるため、Live Viewモードで拡大表示する領域のみを読み出すことが可能となり、よりフレームレートの高いLive Viewを実現することができる。
【０００７】
Live Viewモードは、オートフォーカス（AF）が不可能であり、また撮影者が光学ファインダでピントを確認することができないような暗い撮影場所、即ち天体撮影や夜景撮影などにおいて、撮影者がピントを確認するために非常に有効である。
【０００８】
しかしながら、このようなLive Viewモードにおいて、撮影者は全画面の中からピントを確認したい主被写体を表示領域に捕捉するため、ボタン操作によって切り出し位置を順番に変更していくなど、煩わしいカメラ操作をしなければならなくなる。
【０００９】
本発明は、上記の課題に鑑みてなされたものであり、暗部におけるピント確認を主たる目的とするLive Viewモードにおける煩わしいカメラ操作を極力軽減し、撮影者が軽快に撮影を行うことができる撮像装置及び、並びに記録媒体及びプログラムを提供することを目的とする。
【課題を解決するための手段】
【００１０】
本発明の撮像装置は、被写体の光学像を電気信号に変換する撮像素子と、前記撮像素子内の第１の撮像領域の信号を読み出す第１の撮像モード、及び前記撮像素子内の前記第１の撮像領域よりも小さい第２の撮像領域の信号を切り出して読み出し、逐次拡大表示する第２の撮像モードとを選択自在な撮像手段と、前記第１の撮像モードによって得られた画像から高輝度被写体位置を検出する高輝度被写体位置検出手段と、前記第２の撮像モードにおける切り出し位置を設定する切り出し位置設定手段とを備え、前記切り出し位置設定手段は、前記高輝度被写体位置検出手段の検出結果に基づき、切り出し位置を設定する。
【００１１】
本発明の撮像装置は、被写体の光学像を電気信号に変換する撮像素子と、前記撮像素子内の所定の撮像領域の信号を読み出し、得られた画像の一部領域を切り出して逐次拡大表示することが可能な撮像手段と、前記撮像手段によって得られた前記撮像素子内の前記所定の撮像領域の画像から高輝度被写体位置を検出する高輝度被写体位置検出手段と、前記撮像手段により画像の一部領域を切り出す位置を設定する切り出し位置設定手段とを備え、前記切り出し位置設定手段は、前記高輝度被写体位置検出手段の検出結果に基づき、切り出し位置を設定する。
【００１２】
本発明の撮像方法は、撮像素子により、被写体の光学像を電気信号に変換し、記録媒体に記録するに際して、前記撮像素子内の第１の撮像領域の信号を読み出す第１の撮像モード、及び前記撮像素子内の前記第１の撮像領域よりも小さい第２の撮像領域の信号を切り出して読み出し、逐次拡大表示する第２の撮像モードが選択自在とされており、前記第１の撮像モードによって得られた画像から高輝度被写体位置を検出するステップと、前記高輝度被写体位置の検出結果に基づき、前記第２の撮像モードにおける切り出し位置を設定するステップとを含む。
【００１３】
本発明の撮像方法は、撮像素子により、被写体の光学像を電気信号に変換し、記録媒体に記録するに際して、前記撮像素子内の所定の撮像領域の信号を読み出し、得られた画像の一部領域を切り出して逐次拡大表示することが可能とされており、得られた前記撮像素子内の前記所定の撮像領域の画像から高輝度被写体位置を検出するステップと、前記高輝度被写体位置の検出結果に基づき、前記画像の一部領域の切り出し位置を設定するステップとを含む。
【００１４】
本発明の記録媒体は、コンピュータに前記撮像方法の各ステップを実現させるためのプログラムを記録したものである。
【００１５】
本発明のプログラムは、前記撮像方法の各ステップを実現させるためのものである。
【発明の効果】
【００１６】
本発明によれば、暗部におけるピント確認を主たる目的とするLive ViewモードにおいてLive View動作開始時から主被写体を画面内に捕捉できるため、撮影者が主被写体を捕捉するために行わなければならない煩わしいカメラ操作を軽減することができる。これにより迅速なピント確認が可能となり、撮影者に不要な操作を行わせることのない、軽快なカメラ動作を実現することが可能となる。
【発明を実施するための最良の形態】
【００１７】
本発明の撮像装置の実施形態について、図面を参照しながら詳細に説明する。本実施形態の撮像装置は電子カメラに適用される。
図１は実施の形態における電子カメラの構成を示すブロック図である。図において、１００は画像処理装置である。１２は撮像素子１４の露光量を制御するシャッターである。１４は光学像を電気信号に変換する撮像素子である。
【００１８】
レンズユニット３００内の撮影レンズ３１０に入射した光線は、絞り３１２、レンズマウント３０６、１０６、ミラー１３０及びシャッター１２を通じて一眼レフ方式により導かれた撮像素子１４上に光学像として結像する。
撮像素子１４は、システム制御回路５０からのシリアル通信等による設定によって、全画素の信号を出力することもできるし、また任意の一部領域を選択的に出力することも可能である。詳細については後述する。
【００１９】
撮像素子１４は、システム制御回路５０からのシリアル通信等による設定によって、全画素の信号を出力することもできるし、また任意の一部領域を選択的に出力することも可能である。詳細については後述する。１６は撮像素子１４から出力されるアナログ信号をディジタル信号に変換するＡ／Ｄ変換器である。１８は撮像素子１４、Ａ／Ｄ変換器１６及びＤ／Ａ変換器２６にクロック信号や制御信号を供給するタイミング発生回路であり、メモリ制御回路２２及びシステム制御回路５０によって制御される。
【００２０】
２０は画像処理回路であり、Ａ／Ｄ変換器１６からのデータあるいはメモリ制御回路２２からのデータに対して所定の画素補間処理や色変換処理を行う。画像処理回路２０は必要に応じて撮像した画像データを用いて所定の演算処理を行い、得られた演算結果に基づき、システム制御回路５０が露光（シャッター）制御部４０及び測距制御部４２を制御するためのＴＴＬ（スルー・ザ・レンズ）方式のＡＦ（オートフォーカス）処理、ＡＥ（自動露出）処理及びＥＦ（フラッシュ調光）処理を行う。また、画像処理回路２０は、撮像した画像データを用いて所定の演算処理を行い、得られた演算結果に基づいてＴＴＬ方式のＡＷＢ（オートホワイトバランス）処理を行う。
【００２１】
なお、本実施形態では、測距制御部４２及び測光制御部４６を専用に備えているので、システム制御回路５０は、測距制御部４２及び測光制御部４６を用いてＡＦ（オートフォーカス）処理、ＡＥ（自動露出）処理、ＥＦ（フラッシュ調光）処理の各処理を行い、画像処理回路２０を用いてＡＦ（オートフォーカス）処理、ＡＥ（自動露出）処理、ＥＦ（フラッシュ調光）処理の各処理を行わない構成としてもよい。
【００２２】
また、測距制御部４２及び測光制御部４６を用いてＡＦ（オートフォーカス）処理、ＡＥ（自動露出）処理、ＥＦ（フラッシュ調光）処理の各処理を行い、更に、画像処理回路２０を用いてＡＦ（オートフォーカス）処理、ＡＥ（自動露出）処理、ＥＦ（フラッシュ調光）処理の各処理を行う構成としてもよい。
【００２３】
２２はメモリ制御回路であり、Ａ／Ｄ変換器１６、タイミング発生回路１８、画像処理回路２０、画像表示メモリ２４、Ｄ／Ａ変換器２６、メモリ３０及び圧縮・伸長回路３２を制御する。
Ａ／Ｄ変換器１６からのデータは、画像処理回路２０及びメモリ制御回路２２を介して、あるいは直接、メモリ制御回路２２を介して画像表示メモリ２４あるいはメモリ３０に書き込まれる。
【００２４】
２４は画像表示メモリ、２６はＤ／Ａ変換器である。２８はＴＦＴ方式のＬＣＤからなる画像表示部である。画像表示メモリ２４に書き込まれた表示用の画像データはＤ／Ａ変換器２６を介して画像表示部２８に表示される。撮像された画像データを画像表示部２８で逐次表示する場合、電子ファインダ機能を実現することが可能である。また、画像表示部２８はシステム制御回路５０の指示にしたがって表示のオン／オフを任意に行うことが可能であり、表示をオフにした場合、画像処理装置１００の電力消費を大幅に低減することができる。
【００２５】
３０は撮影された静止画像や動画像を格納するためのメモリであり、所定枚数の静止画像や所定時間の動画像を格納するのに十分な記憶容量を有している。したがって、複数枚の静止画像を連続して撮影する連写撮影やパノラマ撮影の場合にも、高速かつ大量の画像書き込みをメモリ３０に対して行うことが可能である。また、メモリ３０はシステム制御回路５０の作業領域としても使用することが可能である。
【００２６】
３２は適応離散コサイン変換（ＡＤＣＴ）などにより画像データを圧縮伸長する圧縮・伸長回路であり、メモリ３０に格納された画像を読み込んで圧縮処理あるいは伸長処理を行い、処理を終えたデータをメモリ３０に書き込む。
【００２７】
４０は測光制御部４６からの測光情報に基づいて絞り３１２を制御する絞り制御部３４０と連携しながらシャッター１２を制御するシャッター制御部である。４２はＡＦ（オートフォーカス）処理を行うための測距制御部であり、レンズユニット３００内の撮影レンズ３１０に入射した光線を絞り３１２、レンズマウント３０６、１０６、ミラー１３０及び測距用サブミラー（不図示）を介して一眼レフ方式で入射することにより、光学像として結像された画像の合焦状態を測定する。
【００２８】
４４は温度計であり、撮影環境における周囲温度を検出する。４６はＡＥ（自動露出）処理を行うための測光制御部であり、レンズユニット３００内の撮影レンズ３１０に入射した光線を、絞り３１２、レンズマウント３０６、１０６、ミラー１３０及び測光用サブミラー（図示せず）を介して一眼レフ方式で入射することにより、光学像として結像された画像の露出状態を測定する。測光制御部４６はフラッシュ部４８と連携することにより、ＥＦ（フラッシュ調光）処理機能も有する。４８はフラッシュ部であり、ＡＦ補助光の投光機能及びフラッシュ調光機能を有する。
【００２９】
なお、前述したように、撮像素子１４によって撮像された画像データを用いて画像処理回路２０により演算された演算結果に基づき、システム制御回路５０が露光（シャッター）制御部４０、絞り制御部３４０、測距制御部３４２に対し、ビデオＴＴＬ方式を用いた露出制御及びＡＦ（オートフォーカス）制御を行うことが可能である。
【００３０】
また、測距制御部４２による測定結果と、撮像素子１４によって撮像された画像データを画像処理回路２０によって演算した演算結果とを用いて、ＡＦ（オートフォーカス）制御を行うようにしてもよい。更に、測光制御部４６による測定結果と、撮像素子１４によって撮像された画像データを画像処理回路２０によって演算した演算結果とを用いて露出制御を行うようにしてもよい。
５０は画像処理装置１００全体を制御するシステム制御回路であり、周知のＣＰＵなどを内蔵する。５２はシステム制御回路５０の動作用の定数、変数、プログラムなどを記憶するメモリである。５４はシステム制御回路５０でのプログラムの実行に応じて、文字、画像、音声などで動作状態やメッセージなどを表示する液晶表示装置、スピーカなどを有する表示部であり、画像処理装置１００の操作部近辺の視認し易い単数あるいは複数箇所に設置されている。表示部５４は、ＬＣＤ、ＬＥＤ、発音素子などの組み合わせにより構成されている。また、表示部５４の一部の機能は光学ファインダ１０４内に設けられている。
【００３１】
表示部５４の表示内容のうち、ＬＣＤなどに表示するものとしては、シングルショット／連写撮影表示、セルフタイマ表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００、２１０の着脱状態表示、レンズユニット３００の着脱状態表示、通信Ｉ／Ｆ動作表示、日付・時刻表示、外部コンピュータとの接続状態を示す表示などがある。
【００３２】
また、表示部５４の表示内容のうち、光学ファインダ１０４内に表示するものとしては、合焦表示、撮影準備完了表示、手振れ警告表示、フラッシュ充電表示、フラッシュ充電完了表示、シャッタースピード表示、絞り値表示、露出補正表示、記録媒体書き込み動作表示などがある。
【００３３】
更に、表示部５４の表示内容のうち、ＬＥＤ等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電表示などがある。
また、表示部５４の表示内容のうち、ランプ等に表示するものとしては、例えば、セルフタイマ通知ランプ等がある。このセルフタイマ通知ランプはＡＦ補助光と共用してもよい。
【００３４】
５６は後述するプログラムなどが格納された電気的に消去・記録可能な不揮発性メモリであり、不揮発性メモリとしてＥＥＰＲＯＭなどが用いられる。この不揮発性メモリ５６には、各種パラメータやＩＳＯ感度などの設定値、設定モード、及び水平ダークシェーディング補正を行う際に用いる１次元補正データ等が格納される。この１次元補正データは、生産工程において、調整時に作成されて書き込まれる。この１次元補正データの作成方法としては、例えばダーク撮影を行って得られた画像を射影演算することにより、水平１ライン分のデータとする方法等が考えられる。この水平ダークシェーディング補正により、撮像素子１４内の水平方向読み出し経路の差に起因する固定パターンノイズを除去することができる。
【００３５】
なお、補正データとしては、生産工程において撮像されたダーク画像をそのまま２次元データとして記憶したものでもよい。この場合、水平方向だけでなく垂直方向の固定パターンノイズも除去できる。しかし、撮像素子によっては垂直方向の固定パターンノイズが小さく、水平方向の補正のみ行えば済むようなものがある。
【００３６】
６０、６２、６４、６６、６８及び７０はシステム制御回路５０の各種動作指示を入力するための操作部であり、スイッチ、ダイヤル、タッチパネル、視線検知によるポインティング、音声認識装置などの単数あるいは複数の組み合わせで構成される。これら操作部の詳細を以下に示す。
【００３７】
６０はモードダイアルスイッチであり、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード、Live Viewモードなどの各機能撮影モードを切り替えて設定可能である。Live Viewモードの詳細については後述するが、撮像素子１４における任意の一部分の撮像データを画像表示部２８に逐次拡大表示する電子ファインダ機能のことである。
【００３８】
６２はシャッタースイッチ（ＳＷ１）であり、シャッターボタン（図示せず）の操作途中でＯＮとなり、ＡＦ（オートフォーカス）処理、ＡＥ（自動露出）処理、ＡＷＢ（オートホワイトバランス）処理、ＥＦ（フラッシュ調光）処理などの動作開始を指示する。
【００３９】
６４はシャッタースイッチ（ＳＷ２）であり、シャッターボタン（図示せず）の操作完了でオンとなる。このシャッタースイッチ（ＳＷ２）６４は、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００、２０１に画像データを書き込む記録処理という一連の処理の動作開始を指示する。Live Viewモードにおいては、このシャッタースイッチ（ＳＷ２）６４がオンされることにより、露光処理・現像処理を行い、更にメモリ制御回路２２を介して画像表示メモリ２４に書き込まれた表示用画像データを画像表示部２８に逐次表示する一連の処理の動作を開始する。シャッタースイッチ（ＳＷ２）６４がオフされると、これらの動作を終了する。本実施形態では、シャッタースイッチ（ＳＷ２）６４がオンされている間、前記一連の処理が行われる構成とするが、シャッタースイッチ（ＳＷ２）６４がオンされる毎に、前記処理動作の開始／終了が切り替わるような構成としてもよい。
【００４０】
６６は再生スイッチであり、撮影モード状態で撮影した画像をメモリ３０あるいは記録媒体２００、２１０から読み出して画像表示部２８に表示する再生動作の開始を指示する。
【００４１】
６９はＩＳＯ感度設定スイッチであり、撮像素子１４あるいは画像処理回路２０におけるゲインの設定を変更することによりＩＳＯ感度を設定できる。
７０は各種ボタンやタッチパネルなどからなる操作部であり、メニューボタン、セットボタン、マクロボタン、マルチ画面再生改ページボタン、フラッシュ設定ボタン、単写／連写／セルフタイマ切替ボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のオン／オフを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため、あるいは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定可能な再生スイッチ、シャッタースイッチＳＷ１を押した際にオートフォーカス動作を開始し、一旦合焦した場合、その合焦状態を保ち続けるワンショットＡＦモードとシャッタースイッチＳＷ１を押している間、連続してオートフォーカス動作を続けるサーボＡＦモードとを設定可能なＡＦモード設定スイッチなどがある。
【００４２】
また、前記プラスボタン及びマイナスボタンの各機能は、回転ダイアルスイッチを備えることによって、より軽快に数値や機能を選択することが可能となる。
７２は電源スイッチであり、画像処理装置１００の電源オン、電源オフの各モードを切り替え設定可能である。また、画像処理装置１００に接続されたレンズユニット３００、外部ストロボ、記録媒体２００、２１０等の各種付属装置の電源オン、電源オフの設定も合わせて切り替え設定可能である。
【００４３】
８０は電源制御部であり、電池検出回路、ＤＣ−ＤＣコンバータ、通電するブロックを切り替えるスイッチ回路などから構成されており、電池の装着の有無、電池の種類、電池残量の検出を行い、その検出結果及びシステム制御回路５０の指示に基づいてＤＣ−ＤＣコンバータを制御し、必要な電圧を必要な期間、記録媒体を含む各部に供給する。
【００４４】
８２及び８４はコネクタ、８６はアルカリ電池やリチウム電池などの一次電池、ＮｉＣｄ電池、ＮｉＭＨ電池、Ｌｉ電池などの二次電池、ＡＣアダプタなどからなる電源部である。
９０及び９４はメモリカードやハードディスク等の記録媒体とのインターフェース、９２及び９６はメモリカードやハードディスクなどの記録媒体との接続を行うコネクタ、９８はコネクタ９２、９６に記録媒体２００、２１０が装着されているか否かを検知する記録媒体着脱検知部である。
【００４５】
なお、本実施形態では、記録媒体を取り付けるインターフェース及びコネクタが２系統装備されているが、記録媒体を取り付けるインターフェース及びコネクタは単数あるいは任意の数の系統数装備されていてもよい。また、異なる規格のインターフェース及びコネクタとして、ＰＣＭＣＩＡカードやＣＦ（コンパクトフラッシュ(登録商標)）カードなどの規格に準拠したものを用いてもよい。
【００４６】
更に、インターフェース９０、９４、コネクタ９２、９６をＰＣＭＣＩＡカードやＣＦ（コンパクトフラッシュ(登録商標)）カードなどの規格に準拠したものを用いて構成した場合、ＬＡＮカード、モデムカード、ＵＳＢカード、ＩＥＥＥ１３９４カード、Ｐ１２８４カード、ＳＣＳＩカード、ＰＨＳなどの通信カードなどの各種通信カードを接続することより、他のコンピュータやプリンタなどの周辺機器との間で画像データや画像データに付属した管理情報を相互に転送することが可能である。
【００４７】
１０４は光学ファインダであり、撮影レンズ３１０に入射した光線を、一眼レフ方式によって、絞り３１２、レンズマウント３０６、１０６、ミラー１３０、１３２を介して導き、光学像として結像させて表示することが可能である。これにより、画像表示部２８による電子ファインダ機能を使用することなく、光学ファインダ１０４だけを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設けられている。
【００４８】
１１０は通信部であり、ＲＳ２３２Ｃ、ＵＳＢ、ＩＥＥＥ１３９４、Ｐ１２８４、ＳＣＳＩ、モデム、ＬＡＮ、無線通信などの各種通信機能を有する。１１２は通信部１１０により画像処理装置１００を他の機器と接続するコネクタ、もしくは無線通信を行う場合のアンテナである。
【００４９】
１２０はレンズマウント１０６内で画像処理装置１００をレンズユニット３００と接続するためのインターフェースである。１２２は画像処理装置１００をレンズユニット３００と電気的に接続するコネクタである。また、レンズマウント１０６及び／またはコネクタ１２２にレンズユニット３００が装着されているか否かは、不図示のレンズ着脱検知部により検知される。
【００５０】
コネクタ１２２は画像処理装置１００とレンズユニット３００との間で制御信号、状態信号、データ信号などを伝え合うと共に、各種電圧の電流を供給する機能も備えている。また、コネクタ１２２は電気通信だけでなく、光通信、音声通信などを伝達する構成としてもよい。
【００５１】
１３０、１３２はミラーであり、撮影レンズ３１０に入射した光線を、一眼レフ方式によって光学ファインダ１０４に導く。ミラー１３２はクイックリターンミラーの構成にしてもハーフミラーの構成にしてもどちらでもよい。
【００５２】
２００はメモリカードやハードディスクなどの記録媒体である。記録媒体２００は、半導体メモリや磁気ディスクなどから構成される記録部２０２、画像処理装置１００とのインターフェース２０４、及び画像処理装置１００との接続を行うコネクタ２０６を有している。２１０は、記録媒体２００と同様、メモリカードやハードディスク等の記録媒体である。記録媒体２１０は、半導体メモリや磁気ディスク等から構成される記録部２１２、画像処理装置１００とのインターフェース２１４、及び画像処理装置１００との接続を行うコネクタ２１６を有している。
【００５３】
３００は交換レンズタイプのレンズユニットである。３０６はレンズユニット３００を画像処理装置１００と機械的に結合するレンズマウントである。レンズマウント３０６内には、レンズユニット３００を画像処理装置１００と電気的に接続する各種機能が含まれている。
【００５４】
３１０は撮影レンズ、３１２は絞りである。３２０はレンズマウント３０６内でレンズユニット３００を画像処理装置１００と接続するためのインターフェースである。３２２はレンズユニット３００を画像処理装置１００と電気的に接続するコネクタである。
コネクタ３２２は画像処理装置１００とレンズユニット３００との間で制御信号、状態信号、データ信号などを伝え合うと共に、各種電流が供給され、あるいは電流を供給する機能を備えている。また、コネクタ３２２は電気信号だけでなく、光信号、音声信号などを伝達する構成としてもよい。
【００５５】
３４０は測光制御部４６からの測光情報に基づいて、シャッター１２を制御するシャッター制御部４０と連携しながら、絞り３１２を制御する絞り制御部である。３４２は撮影レンズ３１０のフォーカシングを制御する測距制御部である。３４４は撮影レンズ３１０のズーミングを制御するズーム制御部である。３５０はレンズユニット３００全体を制御するレンズシステム制御回路である。レンズシステム制御回路３５０は、動作用の定数、変数、プログラムなどを記憶するメモリやレンズユニット３００固有の番号などの識別情報、管理情報、開放絞り値や最小絞り値、焦点距離等の機能情報、現在や過去の各設定値などを保持する不揮発メモリの機能も備えている。
【００５６】
上記の構成を有する電子カメラの動作について説明する。図２、及び図３は画像処理装置１００の撮影動作処理手順を示すフローチャートである。この処理プログラムは不揮発メモリ５６などの記憶媒体に格納されており、メモリ５２にロードされてシステム制御回路５０内のＣＰＵによって実行される。
【００５７】
電池交換などの電源投入により、システム制御回路５０はフラグや制御変数等を初期化し、画像処理装置１００の各部に対して必要な所定の初期設定を行う（ステップＳ１０１）。システム制御部５０は、電源スイッチ７２の設定位置を判別し、電源スイッチ７２が電源オフに設定されているか否かを判別する（ステップＳ１０２）。
【００５８】
電源スイッチ７２が電源オフに設定されている場合、各表示部の表示を終了状態に変更し、フラグや制御変数などを含む必要なパラメータや設定値、設定モードを不揮発性メモリ５６に記録し、電源制御部８０により画像表示部２８を含む画像処理装置１００各部の不要な電源を遮断する等の所定の終了処理を行った後（ステップＳ１０３）、ステップＳ１０２の処理に戻る。
【００５９】
一方、電源スイッチ７２が電源オンに設定されていた場合、システム制御回路５０は電源制御部８０により電池などの電源８６の残容量や動作状況が画像処理装置１００の動作に問題があるか否かを判別する（ステップＳ１０４）。問題があると判別された場合、表示部５４に画像の表示や音声の出力により所定の警告を行った後（ステップＳ１０５）、ステップＳ１０２の処理に戻る。
【００６０】
一方、電源８６に問題がないと判別された場合、システム制御回路５０はモードダイアルスイッチ６０の設定位置を判断し、モードダイアルスイッチ６０がLive Viewモードに設定されているかその他の撮影モードに設定されているかを判別する（ステップＳ１０６）。モードダイアルスイッチ６０がLive Viewモードに設定されている場合、システム制御回路５０は表示部５４を用いて画像や音声により画像処理装置１００の各種設定状態の表示を行い（ステップＳ１０９）、ＳＷ１が押されているか否かを判別する（ステップＳ５０１）。ステップＳ５０１以降のLive Viewモードの処理については後述する。
【００６１】
一方、ステップＳ１０６でモードダイアルスイッチ６０が撮影モードに設定されている場合、記録媒体２００、２０１が装着されているか否かの判断、記録媒体２００、２０１に記録された画像データの管理情報の取得、及び記録媒体２００、２０１の動作状態が画像処理装置１００の動作、特に記録媒体に対する画像データの記録再生動作に問題があるか否かを判別する（ステップＳ１０８）。問題があると判別された場合、表示部５４に画像の表示や音声の出力により所定の警告を行った後（ステップＳ１０５）、ステップＳ１０２の処理に戻る。
【００６２】
一方、ステップＳ１０８で問題がないと判別された場合、システム制御回路５０は単写撮影／連写撮影の選択状態を調べ、単写／連写フラグに設定する（ステップＳ１１０）。単写撮影ではシャッタースイッチＳＷ２を押した場合、１コマの撮影を行って待機状態とし、連写撮影ではシャッタースイッチＳＷ２を押している間、連続して撮影を行い続ける。
なお、単写／連写フラグの状態はシステム制御回路５０の内部メモリあるいはメモリ５２に記憶される。
【００６３】
続くステップＳ１１２では、システム制御回路５０は、水平ダークシェーディング補正に用いられる１次元補正データを不揮発性メモリ５６から読み出し、メモリ３０の所定領域に展開する。
図４は水平ダークシェーディング補正データによる本画像の補正を示す図である。水平ダークシェーディング補正では、ここで展開した１次元補正データを各水平ライン毎に繰り返し減算することで水平方向の回路系ノイズ即ち固定パターンノイズを除去することができる。
【００６４】
補正データの展開を終了すると、システム制御回路５０は表示部５４を用いて画像や音声により画像処理装置１００の各種設定状態の表示を行う（ステップＳ１１３）。ここで、画像表示部２８の画像表示スイッチがオンである場合、画像表示部２８を用いて画像や音声により画像処理装置１００の各種設定状態を表示するようにしてもよい。
【００６５】
続いてシャッタースイッチＳＷ１が押されているか否かを判別し（ステップＳ１５０）、シャッタースイッチＳＷ１が押されていない場合、電源制御部８０により電池などの電源８６の残容量や動作状況が画像処理装置１００の動作に問題があるか否かを判別する（ステップＳ１５１）。問題があると判別された場合、表示部５４に画像の表示や音声の出力により所定の警告を行った後（ステップＳ１５２）、ステップＳ１０２の処理に戻る。
【００６６】
一方、シャッタースイッチＳＷ１が押されている場合、システム制御回路５０は、測距処理を行って撮影レンズ３１０の焦点を被写体に合わせ、測光処理を行って絞り値及びシャッター速度を決定する測距・測光処理を行う（ステップＳ１５３）。測光処理では、必要であればフラッシュの設定を行う。この測距・測光処理の詳細については、後述する。
【００６７】
そして、シャッタースイッチＳＷ２が押されているか否かを判別し（ステップＳ１５４）、シャッタースイッチＳＷ２が押されていない場合、ステップＳ１５０に戻り、シャッタースイッチＳＷ１が離されるかシャッタースイッチＳＷ２が押されるまでステップＳ１５０〜ステップＳ１５４の処理を繰り返す。
【００６８】
一方、ステップＳ１５４でシャッタースイッチＳＷ２が押された場合、システム制御回路５０は、撮影した画像データの記憶可能な画像記憶バッファ領域がメモリ３０にあるか否かを判別する（ステップＳ１５５）。メモリ３０の画像記憶バッファ領域内に新たな画像データの記憶可能な領域がないと判別された場合、表示部５４に画像の表示や音声の出力により所定の警告を行った後（ステップＳ１５６）、ステップＳ１０２の処理に戻る。
【００６９】
例えば、メモリ３０の画像記憶バッファ領域内に記憶可能な最大枚数の連写撮影を行った直後であり、メモリ３０から読み出して記憶媒体２００、２１０に書き込むべき最初の画像がまだ記憶媒体２００、２１０に未記録な状態であり、まだ１枚の空き領域もメモリ３０の画像記憶バッファ領域上に確保できない状態である場合などである。
【００７０】
なお、撮影した画像データを圧縮処理してからメモリ３０の画像記憶バッファ領域に記憶する場合、圧縮した後の画像データ量が圧縮モードの設定に応じて異なることを考慮して、記憶可能な領域がメモリ３０の画像記憶バッファ領域上にあるか否かをステップＳ１５５の処理で判断することになる。
【００７１】
一方、ステップＳ１５５でメモリ３０に撮影した画像データの記憶可能な画像記憶バッファ領域があると判別された場合、システム制御回路５０は、撮像して所定時間蓄積した撮像信号を撮像素子１４から読み出し、Ａ／Ｄ変換器１６、画像処理回路２０及びメモリ制御回路２２を介して、あるいはＡ／Ｄ変換器１６から直接、メモリ制御回路２２を介して、メモリ３０の所定領域に撮影した画像データを書き込む撮影処理を実行する（ステップＳ１５７）。この撮影処理の詳細については後述する。
【００７２】
ステップＳ１５７の撮影処理を終えると、システム制御回路５０は、メモリ３０の所定領域に書き込まれた画像データの一部をメモリ制御回路２２を介して読み出して現像処理を行うために必要なＷＢ（ホワイトバランス）積分演算処理、ＯＢ（オプティカルブラック）積分演算処理を行い、演算結果をシステム制御回路５０の内部メモリあるいはメモリ５２に記憶する。
【００７３】
そして、システム制御回路５０は、メモリ制御回路２２、必要に応じて画像処理回路２０を用いて、メモリ３０の所定領域に書き込まれた撮影画像データを読み出し、システム制御回路５０の内部メモリあるいはメモリ５２に記憶した演算結果を用いて、ＡＷＢ（オートホワイトバランス）処理、ガンマ変換処理、色変換処理を含む各種現像処理を行う（ステップＳ１５８）。
【００７４】
現像処理では、ステップＳ１１２で展開した水平ダークシェーディング補正データを用いて減算処理を行うことにより、撮像素子１４の固定パターンノイズを打ち消すダーク補正演算処理を併せて行う。
【００７５】
システム制御回路５０は、メモリ３０の所定領域に書き込まれた画像データを読み出して、設定されたモードに応じた画像圧縮処理を圧縮・伸長回路３２により行い、メモリ３０の画像記憶バッファ領域の空き画像部分に、撮影して一連の処理を終えた画像データの書き込みを行う（ステップＳ１５９）。
【００７６】
そして、システム制御回路５０は、メモリ３０の画像記憶バッファ領域に記憶された画像データを読み出し、インターフェース９０、９４、コネクタ９２、９６を介して、メモリカードやコンパクトフラッシュ(登録商標)カード等の記録媒体２００、２１０に読み出した画像データを書き込む記録処理を開始する（ステップＳ１６０）。この記録開始処理は、メモリ３０の画像記憶バッファ領域の空き画像部分に、撮影して一連の処理を終えた画像データの書き込みが新たに行われる度に、その画像データに対して実行される。
【００７７】
なお、記録媒体２００、２０１に画像データの書き込みを行っている間、書き込み動作中であることを示すために、表示部５４に例えばＬＥＤを点滅させる等の記録媒体書き込み動作表示を行う。
【００７８】
更に、システム制御回路５０は、シャッタースイッチＳＷ１が押されているか否かを判別する（ステップＳ１６１）。シャッタースイッチＳＷ１が離された状態である場合、ステップＳ１０２の処理に戻る。一方、シャッタースイッチＳＷ１が押された状態である場合、システム制御回路５０の内部メモリあるいはメモリ５２に記憶された単写／連写フラグの状態を判別し（ステップＳ１６２）、単写が設定されていた場合、ステップＳ１６１の処理に戻り、シャッタースイッチＳＷ１が離されるまで現在の処理を繰り返す。一方、連写が設定されていた場合、連続して撮影を行うために、ステップＳ１５３の処理に戻り、次の撮影に備える。これにより、撮影に関する一連の処理が終了する。
【００７９】
図７はステップＳ１５３における測距・測光処理手順を示すフローチャートである。
測距・測光処理では、システム制御回路５０と、絞り制御部３４０あるいは測距制御部３４２との間の各種信号のやり取りは、インターフェース１２０、コネクタ１２２、コネクタ３２２、インターフェース３２０及びレンズシステム制御回路３５０を介して行われる。
【００８０】
システム制御回路５０は、撮像素子１４、測距制御部４２及び測距制御部３４２を用いて、ＡＦ（オートフォーカス）処理を開始する（ステップＳ２０１）。
システム制御回路５０は、撮影レンズ３１０に入射した光線を、絞り３１２、レンズマウント３０６、１０６、ミラー１３０、測距用サブミラー（図示せず）を介して、測距制御部４２に入射させることにより、光学像として結像された画像の合焦状態を判断し、測距（ＡＦ）が合焦と判断されるまで、測距制御部３４２を用いて撮影レンズ３１０を駆動しながら、測距制御部４２を用いて合焦状態を検出するＡＦ制御を実行する（ステップＳ２０２、Ｓ２０３）。
【００８１】
ステップＳ２０３で測距（ＡＦ）が合焦と判断された場合、システム制御回路５０は、撮影画面内の複数の測距点から合焦した測距点を決定し、決定した測距点データと共に測距データ及び／または設定パラメータをシステム制御回路５０の内部メモリあるいはメモリ５２に記憶する（ステップＳ２０４）。
【００８２】
続いて、システム制御回路５０は、測光制御部４６を用いてＡＥ（自動露出）処理を開始する（ステップＳ２０５）。システム制御回路５０は、撮影レンズ３１０に入射した光線を、絞り３１２、レンズマウント３０６、１０６、ミラー１３０、１３２及び測光用レンズ（図示せず）を介して、測光制御部４６に入射させることにより、光学像として結像された画像の露出状態を測定し、露出（ＡＥ）が適正と判断されるまで露光（シャッター）制御部４０を用いて測光処理を行う（ステップＳ２０６、Ｓ２０７）。
【００８３】
ステップＳ２０７で露出（ＡＥ）が適正であると判断された場合、システム制御回路５０は、測光データ及び／または設定パラメータをシステム制御回路５０の内部メモリあるいはメモリ５２に記憶する（ステップＳ２０７Ａ）。  尚、ステップＳ２０６の測光処理で検出した露出（ＡＥ）結果と、モードダイアルスイッチ６０によって設定された撮影モードとに応じて、システム制御回路５０では絞り値（Ａｖ値）及びシャッター速度（Ｔｖ値）が決定される。
【００８４】
ここで、決定されたシャッター速度（Ｔｖ値）に応じて、システム制御回路５０は、撮像素子１４の電荷蓄積時間を決定し撮影処理を行う。
ステップＳ２０６の測光処理で得られた測定データにより、システム制御回路５０はフラッシュが必要であるか否かを判別し（ステップＳ２０８）、フラッシュが必要である場合、フラッシュフラグをセットし、充電が完了するまでフラッシュ部４８を充電する（ステップＳ２０９、Ｓ２１０）。そして、フラッシュ部４８の充電が完了すると、本処理を終了してメインの処理に復帰する。
【００８５】
図６はステップＳ１５７における撮影処理手順を示すフローチャートである。この撮影処理では、システム制御回路５０と、絞り制御部３４０あるいは測距制御部３４２との間の各種信号のやり取りは、インターフェース１２０、コネクタ１２２、コネクタ３２２、インターフェース３２０及びレンズシステム制御回路３５０を介して行われる。
【００８６】
システム制御回路５０は、ミラー１３０をミラー駆動部（図示せず）によってミラーアップ位置に移動させ（ステップＳ３０１）、システム制御回路５０の内部メモリあるいはメモリ５２に記憶された測光データに従い、絞り制御部３４０によって絞り３１２を所定の絞り値まで駆動する（ステップＳ３０２）。
【００８７】
システム制御回路５０は、撮像素子１４の電荷クリア動作を行った後（ステップＳ３０３）、撮像素子１４の電荷蓄積を開始し（ステップＳ３０４）、シャッター制御部４０によってシャッター１２を開き（ステップＳ３０５）、撮像素子１４の露光を開始する（ステップＳ３０６）。
【００８８】
そして、フラッシュフラグによりフラッシュ部４８が必要であるか否かを判別し（ステップＳ３０７）、必要である場合、フラッシュ部４８を発光させる（ステップＳ３０８）。
システム制御回路５０は、測光データにしたがって撮像素子１４の露光終了を待ち（ステップＳ３０９）、露光が終了すると、シャッター制御部４０によってシャッター１２を閉じ（ステップＳ３１０）、撮像素子１４の露光を終了する。
【００８９】
システム制御回路５０は、絞り制御部３４０によって絞り３１２を開放の絞り値まで駆動し（ステップＳ３１１）、ミラー１３０をミラー駆動部（図示せず）によってミラーダウン位置に移動させる（ステップＳ３１２）。
【００９０】
設定した電荷蓄積時間が経過したか否かを判別し（ステップＳ３１３）、設定した電荷蓄積時間が経過した場合、システム制御回路５０は撮像素子１４の電荷蓄積を終了した後（ステップＳ３１４）、撮像素子１４から電荷信号を読み出し、Ａ／Ｄ変換器１６、画像処理回路２０、メモリ制御回路２２を介して、あるいはＡ／Ｄ変換器１６から直接、メモリ制御回路２２を介してメモリ３０の所定領域に撮影画像データを書き込む（ステップＳ３１５）。一連の処理を終了すると、本処理を終了してメインの処理に復帰する。
【００９１】
次に、図２の本処理に戻って、ステップＳ１０６でモードダイアルスイッチ６０がLive Viewモードに設定されていた場合のステップＳ５０１以降の処理について、図７に示すフローチャートで説明する。
【００９２】
システム制御回路５０はＳＷ１が押されているか否かを判別し（ステップＳ５０１）、シャッタースイッチＳＷ１が押されていない場合、電源制御部８０により電池などの電源８６の残容量や動作状況が画像処理装置１００の動作に問題があるか否かを判別する（ステップＳ５０２）。問題があると判別された場合、表示部５４に画像の表示や音声の出力により所定の警告を行った後（ステップＳ５０３）、ステップＳ１０２の処理に戻る。
【００９３】
一方、シャッタースイッチＳＷ１が押されている場合、測光処理を行って撮像素子１４の電荷蓄積時間及び撮像信号を読み出す際のゲインを決定する（ステップＳ５０４）。この測光処理では、前述のステップＳ１５３とは異なり測距処理は行わず、またフラッシュも使用しないため、図５のステップＳ２０６〜ステップＳ２０７Ａの処理が行われることになる。システム制御回路５０は、この測光結果に基づいてLive View撮影における電荷蓄積時間及びゲインを決定する。
【００９４】
続いて、シャッタースイッチＳＷ２が押されているか否かを判別する（ステップＳ５０５）。シャッタースイッチＳＷ２が押されていない場合、ステップＳ５０１に戻り、シャッタースイッチＳＷ１が離されるかシャッタースイッチＳＷ２が押されるまでステップＳ５０１〜ステップＳ５０５の処理を繰り返す。
【００９５】
一方、ステップＳ５０５でシャッタースイッチＳＷ２が押された場合には、システム制御回路５０は、Live Viewモードでの撮影を開始するため、ミラー１３０をミラー駆動部（図示せず）によってミラーアップ位置に移動させ（ステップＳ５０６）、シャッター制御部４０によってシャッター１２を開く（ステップＳ５０７）。
【００９６】
続いて、システム制御回路５０は、全画面の撮像信号を撮像素子１４から読み出し、Ａ／Ｄ変換器１６、画像処理回路２０及びメモリ制御回路２２を介して、あるいはＡ／Ｄ変換器１６から直接、メモリ制御回路２２を介して、メモリ３０の所定領域に撮影した画像データを書き込む全画面撮影処理を実行する（ステップＳ５０８）。この全画面撮影処理の詳細については、後述する。
【００９７】
ステップＳ５０８で得られた画像データを用いて、システム制御回路５０は高輝度被写体検出処理を行う（ステップＳ５０９）。高輝度被写体の検出方法にはいくつかの方法が考えられるが、ここでは全画素のうち信号レベルが最大である画素を検出するものとする。
【００９８】
図８は撮像素子１４の画素領域と切り出しブロックを示した図である。
撮像素子１４の信号は点線で示したブロック毎に選択的に読み出すことが可能であり、いずれのブロックを読み出すかはシステム制御回路５０から撮像素子１４にシリアル通信等により設定可能である。システム制御回路５０は、ステップＳ５０９で検出した画素が含まれるブロックを初期切り出し位置として設定する（ステップＳ５１０）。
【００９９】
初期切り出し位置の設定を終了すると、システム制御回路５０は、撮像して所定時間蓄積した撮像信号を撮像素子１４の設定されたブロックから読み出し、Ａ／Ｄ変換器１６、画像処理回路２０及びメモリ制御回路２２を介して、あるいはＡ／Ｄ変換器１６から直接、メモリ制御回路２２を介して、メモリ３０の所定領域に撮影した画像データを書き込むLive View撮影処理を実行する（ステップＳ５１１）。Live View撮影処理の詳細については後述する。
【０１００】
続いて、システム制御回路５０は、メモリ３０の所定領域に書き込まれた画像データをメモリ制御回路２２を介して読み出し、前述のステップＳ１５８と同様の現像処理を行う（ステップＳ５１２）。この現像処理終了後、システム制御回路５０は画像データを画像表示メモリ２４に書き込み、Ｄ／Ａ変換器２６を介して画像表示部２８に表示する（ステップＳ５１３）。
【０１０１】
続いて、システム制御回路５０は、シャッタースイッチＳＷ２が押されているか否かを判別し（ステップＳ５１４）、シャッタースイッチＳＷ２が押されていない場合にはステップＳ５０１の処理に戻る。
【０１０２】
一方、シャッタースイッチＳＷ２が押されている場合には、システム制御回路５０は露出変更の指示が為されたか否かを判別する（ステップＳ５１５）。露出変更の指示は操作部７０の露出補正ボタン等を操作することにより行うことができる。ここで露出変更指示が為されていない場合、次にシステム制御回路５０は切り出し位置の変更指示が為されたか否かを判別する（ステップＳ５１７）。一方、露出変更指示がなされていた場合は、システム制御回路５０は露出変更指示に応じて電荷蓄積時間及びゲインの設定を行い（ステップＳ５１６）、その後ステップＳ５１７の処理に移る。
【０１０３】
ステップＳ５１７で切り出し位置の変更指示が為されていない場合、システム制御回路５０はステップＳ５１１に戻り、次の駒の撮影を開始する。
一方、切り出し位置の変更指示が為されていた場合には、変更指示に応じて切り出し位置の設定を行い（ステップＳ５１８）、その後ステップＳ５１１に戻って次の駒の撮影を行う。
【０１０４】
このように、ステップＳ５１１〜ステップＳ５１８の一連の処理を繰り返すことで、撮像素子１４の一部の画像データが逐次表示され、Live View機能が実現することができる。
【０１０５】
図９は、ステップＳ５０８の全画面撮影、及びステップＳ５１１のLive View撮影の処理手順を示すフローチャートである。
システム制御回路５０は、撮像素子１４の電荷クリア動作を行った後（ステップＳ６０１）、撮像素子１４の電荷蓄積を開始する（ステップＳ６０２）。設定した電荷蓄積時間が経過したか否かを判別し（ステップＳ６０３）、設定した電荷蓄積時間が経過した場合、システム制御回路５０は撮像素子１４の電荷蓄積を終了した後（ステップＳ６０４）、撮像素子１４から電荷信号を読み出し、Ａ／Ｄ変換器１６、画像処理回路２０、メモリ制御回路２２を介して、あるいはＡ／Ｄ変換器１６から直接、メモリ制御回路２２を介してメモリ３０の所定領域に撮影画像データを書き込む（ステップＳ６０５）。一連の処理を終了すると、本処理を終了してメインの処理に復帰する。
【０１０６】
以上、本発明の実施形態について説明したが、本発明は、これら実施の形態の構成に限られるものではなく、特許請求の範囲で示した機能、または実施の形態の構成が持つ機能が達成できる構成であればどのようなものであっても適用可能である。
【０１０７】
本実施形態では、撮像素子１４の撮像信号をブロック毎に選択的に読み出すことが可能であるとし、Live Viewモードにおいては画像表示部２８に表示する領域に対応したブロックの撮像信号のみを読み出す構成とした。しかし、Live Viewモードにおいても撮像素子１４の全画素の撮像信号を読み出してメモリ３０に一旦格納し、現像・表示する際に所望の領域を切り出す構成としてもよい。但し、この場合、表示には使用しない画素の撮像信号まで読み出すため、本実施形態に記載した構成に比べ、１フレーム毎の処理に要する時間が長くなってしまうことになる。
【０１０８】
また、本実施形態では、Live Viewモードにおける初期切り出し位置を決定するための高輝度被写体位置の検出方法を、全画面中の最高輝度レベルの画素を含むブロックとしたが、他の判定基準を用いてもよい。例えば、平均輝度レベルが最大であるブロックとしてもよいし、或いは全画面の信号の水平／垂直射影データを算出し、その両方のピークが存在するブロックとしてもよい。
【０１０９】
また、本実施形態では、ミラー１３０をミラーアップ位置、ミラーダウン位置を移動して撮影動作を行う場合を示したが、ミラー１３０をハーフミラーの構成として、移動せずに撮影動作を行うようにしてもよい。
【０１１０】
更に、記録媒体２００、２１０は、ＰＣＭＣＩＡカードやコンパクトフラッシュ(登録商標)等のメモリカード、ハードディスク等だけでなく、マイクロＤＡＴ、光磁気ディスク、ＣＤ−Ｒ、ＣＤ−ＲＷ等の光ディスク、ＤＶＤ等の相変化型光ディスク等で構成されていてもよい。更には、記録媒体２００、２１０がメモリカードとハードディスク等が一体となった複合媒体であってもよい。この場合、複合媒体から一部が着脱自在な構成であってもよい。
【０１１１】
本実施形態では、記録媒体２００、２１０は画像処理装置１００と分離しており、任意に接続可能なものであるとしたが、いずれかあるいは全ての記録媒体が画像処理装置１００に固定されたままであってもよい。また、画像処理装置１００に、記録媒体２００、２１０が単数あるいは複数の任意の個数接続可能な構成であってもよい。
【０１１２】
なお、図２，図３，図５〜図７，及び図９のフローチャート等におけるプログラムコード等は、コンピュータのＲＡＭやＲＯＭなどに記憶されたプログラムが動作することによって実現できる。このプログラム及び当該プログラムを記録したコンピュータ読み取り可能な記憶媒体は本発明の実施形態に含まれる。
【０１１３】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【０１１４】
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。
【０１１５】
例えば、図１０は、一般的なパーソナルユーザ端末装置の内部構成を示す模式図である。この図１０において、１２００はコンピュータＰＣである。ＰＣ１２００は、ＣＰＵ１２０１を備え、ＲＯＭ１２０２またはハードディスク（ＨＤ）１２１１に記憶された、あるいはフレキシブルディスクドライブ（ＦＤ）１２１２より供給されるデバイス制御ソフトウェアを実行し、システムバス１２０４に接続される各デバイスを総括的に制御する。
【０１１６】
上記ＰＣ１２００のＣＰＵ１２０１、ＲＯＭ１２０２またはハードディスク（ＨＤ）１２１１に記憶されたプログラムにより、本の実施形態の手段１〜５等の各手段の機能や、ステップ１〜５等の手順が実現される。
【０１１７】
１２０３はＲＡＭで、ＣＰＵ１２０１の主メモリ、ワークエリア等として機能する。１２０５はキーボードコントローラ（ＫＢＣ）で、キーボード（ＫＢ）１２０９や不図示のデバイス等からの指示入力を制御する。
【０１１８】
１２０６はＣＲＴコントローラ（ＣＲＴＣ）で、ＣＲＴディスプレイ（ＣＲＴ）１２１０の表示を制御する。１２０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）１２１１、及びフレキシブルディスク（ＦＤ）１２１２とのアクセスを制御する。
【０１１９】
１２０８はネットワークインタフエースカード（ＮＩＣ）で、ＬＡＮ１２２０を介して、ネットワークプリンタ、他のネットワーク機器、あるいは他のＰＣと双方向のデータのやり取りを行う。
【０１２０】
以上説明したように、本実施形態によれば、暗部におけるピント確認を主たる目的とするLive ViewモードにおいてLive View動作開始時から主被写体を画面内に捕捉できるため、撮影者が主被写体を捕捉するために行わなければならない煩わしいカメラ操作を軽減することができる。これにより迅速なピント確認が可能となり、撮影者に不要な操作を行わせることのない、軽快なカメラ動作を実現することが可能となる。
【図面の簡単な説明】
【０１２１】
【図１】本発明の実施形態における電子カメラの構成を示すブロック図である。
【図２】画像処理装置の撮影動作処理手順を示すフローチャートである。
【図３】図２に引き続き、画像処理装置の撮影動作処理手順を示すフローチャートである。
【図４】水平ダークシェーディング補正データによる本画像の補正を示す図である。
【図５】測距・測光処理手順を示すフローチャートである。
【図６】撮影処理手順を示すフローチャートである。
【図７】図２に引き続き、画像処理装置の撮影動作処理手順を示すフローチャートである。
【図８】撮像素子の画素領域と切り出しブロックを示した図である。
【図９】全画面撮影、及びLive View撮影の処理手順を示すフローチャートである。
【図１０】パーソナルユーザ端末装置の内部構成を示す模式図である。
【符号の説明】
【０１２２】
１４  撮像素子
５０  システム制御回路
５６  不揮発性メモリ
６０  モードダイアル
６２  シャッタースイッチＳＷ１
６４  シャッタースイッチＳＷ２
６９  ＩＳＯ感度設定スイッチ
１００  画像処理装置
【図１】
2006203665.tif 000003
【図２】
2006203665.tif 000004
【図３】
2006203665.tif 000005
【図４】
2006203665.tif 000006
【図５】
2006203665.tif 000007
【図６】
2006203665.tif 000008
【図７】
2006203665.tif 000009
【図８】
2006203665.tif 000010
【図９】
2006203665.tif 000011
【図１０】
2006203665.tif 000012